(57)【要約】【課題】従来の紙製パレットの足下駄は、１枚の段ボールで角柱形を形成してその形状を保持するのが困難であった。本願では、型抜き段階で折畳み可能な固定部材を設け、段ボールを角柱形に折畳み、更に、固定部材を折畳むことで簡単に角柱形状を保持できる紙製パレットを提供する。【解決手段】矩形の段ボール製の底板１を複数の平行な折曲線１２，１５，１８で内側に折り曲げ角柱状とし、両端の折返片１１ｂを内部で重ねる。また、足下駄１０の上面に切欠凹部１４を形成し、該切欠凹部１４の上端に第１固定部材２０，２１を延設する。この第１固定部材２０，２１で折返片１１ｂを挟持固定することで、角柱形状を保持した足下駄を作る。さらに、第２固定部材３０や第３固定部材３１を用いると、より確実に角柱形状を保持できる。切欠凹部１４には、補強枠４０をはめ込み、格子状に組み立て紙製パレットとする。【選択図】　図１
2004123198.tif 000002
【特許請求の範囲】
【請求項１】
四角形の板紙或は段ボールを複数の平行な折曲線で内側に折り曲げ角柱状とし、四角形の板紙或は段ボールの両側の折返片を内部中央で垂直に重ねた複数個の足下駄と、
該各足下駄の横設時の上面に設けた切欠凹部と、
該切欠凹部の上端に延設され、先端に切欠を有し、前記折曲線と交叉方向に折り曲げて、前記折返片を切欠内に挟持して足下駄を角柱状に保持する第１固定部材と、
四角形の板紙或は段ボールを板状或は角柱状に折畳み、前記切欠凹部に嵌合して足下駄と格子状に組まれる補強枠と、
を有することを特徴とする紙製パレット。
【請求項２】
前記足下駄の切欠凹部から挿入され、先端に切欠を有し、前記足下駄内に嵌め込まれて、該切欠により前記折返片を挟持固定して足下駄を角柱状に保持する第２固定部材と、
前記横設した足下駄の上面に、前記折返線と交叉する方向に穿設した切欠孔と、
該切欠孔から挿入され、先端に切欠を有し、前記足下駄内に嵌め込まれて、該切欠により前記折返片を挟持固定する第３固定部材と、
前記切欠凹部に嵌合して足下駄と格子状に組まれる補強枠と、
該格子状に組んだ足下駄及び補強枠の上面に取りつける上板と、
を有することを特徴とする請求項１記載の紙製パレット。
【請求項３】
前記補強枠と格子状に組んだ足下駄の下面に取付け、足下駄間を連結する枠体或は間隔を隔てて配置した棒体からなる下板を有することを特徴とする請求項１又は２記載の紙製パレット。
【請求項４】
前記第２固定部材の上端が、前記切欠凹部の外側に突出しており、
該第２固定部材の上端を前記補強枠の下面に設けた穴に嵌合することを特徴とする請求項１乃至３の内１項記載の紙製パレット。
【請求項５】
前記角柱状の足下駄の表裏、或は、板状或は角柱状の補強枠の表裏の所望の位置に剥離紙付接着剤を付着させたことを特徴とする請求項１乃至４のうち１項記載の紙製パレット。
【請求項６】
箱を備えていることを特徴とする請求項１乃至５の内１項記載の紙製パレット付箱。
【発明の詳細な説明】
【０００１】
【発明の属する技術分野】
本発明は、紙製パレット及び紙製パレット付箱に関するものである。
【０００２】
【従来の技術】
従来の紙製パレットは、足下駄と上板が一体に形成してあるか、足下駄と補強枠と上板が一体で形成されていた。足下駄と補強枠を段ボールを折畳み角柱状或は板状に形成し、両者に設けた切欠を互いに嵌め合って交叉させ、この交叉させた足下駄と補強枠の上に上板を一体で取りつけた物もあった。この足下駄と補強枠の折返片の隣接する接触面は、接着剤により固定されていた。
【０００３】
【発明が解決しようとする課題】
足下駄と天板、足下駄と補強枠と天板が一体で形成された紙製パレットは、隣接する足下駄間或は隣接する補強枠間が空洞になっているため、輸送コストと保管コストが高くつく。段ボールを折畳み角柱状や板状に形成した足下駄と補強枠は、折畳み方法と格子状に組合せる方法に種々の方法が取られていたが、紙製パレットの強度を高める必要から短時間に簡単にできるものがなかった。
【０００４】
本発明は、耐荷重１００ｋｇ以上の強度を有し、短時間で簡単に製造或は組立でき、必要に応じ、底板、足下駄、補強枠間の空間を無くするため足下駄と補強枠と上板を分解状態で輸送或は保管し、使用時に簡単に組立てられる紙製パレットと紙製パレット付箱を提供することを目的とする。
【０００５】
【課題を解決するための手段】
上記の目的を達成するために本発明の紙製パレットは、四角形の板紙或は段ボールを複数の平行な折曲線で内側に折り曲げ角柱状とし、四角形の板紙或は段ボールの両側の折返片を内部中央で垂直に重ねた複数個の足下駄と、該各足下駄の横設時の上面に設けた切欠凹部と、該切欠凹部の上端に延設され、先端に切欠を有し、前記折曲線と交叉方向に折り曲げて、前記折返片を切欠内に挟持して足下駄を角柱状に保持する第１固定部材と、四角形の板紙或は段ボールを板状或は角柱状に折畳み、前記切欠凹部に嵌合して足下駄と格子状に組まれる補強枠と、を有することを特徴としている。
【０００６】
前記足下駄の切欠凹部から挿入され、先端に切欠を有し、前記足下駄内に嵌め込まれて、該切欠により前記折返片を挟持固定して足下駄を角柱状に保持する第２固定部材と、前記横設した足下駄の上面に、前記折返線と交叉する方向に穿設した切欠孔と、該切欠孔から挿入され、先端に切欠を有し、前記足下駄内に嵌め込まれて、該切欠により前記折返片を挟持固定する第３固定部材と、前記切欠凹部に嵌合して足下駄と格子状に組まれる補強枠と、該格子状に組んだ足下駄及び補強枠の上面に取りつける上板と、を設ける構成とすることもできる。
【０００７】
前記補強枠と格子状に組んだ足下駄の下面に取付け、足下駄間を連結する枠体或は間隔を隔てて配置した棒体からなる下板を設けたり、前記切欠凹部から挿入した第２固定部材の上端が、該切欠凹部内に突出しており、該第２固定部材の上端を前記補強枠の下面に設けた穴に嵌合させたり、前記角柱状の足下駄、或は、板状或は角柱状の補強枠の表裏の所望の位置に剥離紙付接着剤を付着させたり、前記各紙製パレットに紙製或は段ボール製箱を設けたりできる。
【０００８】
【発明の実施の形態】
図１の分解斜視図、図２の要部拡大分解斜視図，図３の足下駄の展開図、図４の組立て状態を示す要部拡大縦断面図に示すように、本実施例は、箱６０に挿入する段ボール（或は板紙）で形成した紙製パレットであり、箱６０の下に配置してもよく、箱６０なしで直接物品を載置してもよい。始めに紙製パレットの構成の概要を示す。底板１は、箱６０の底に挿入されるものである。底板１上には、複数の足下駄１０をほぼ平行に配置固定する。足下駄１０と格子状に組む補強枠４０を取り付ける。格子状に組んだ足下駄１０と補強枠４０の上に上板５０を取付ける。上記構成を有する紙製パレットは、底板１を使用しないで、足下駄１０及び補強枠４０のみを格子状に組んだだけのもとしても使用できる。
【０００９】
以下、各構成毎に詳述する。箱６０は、折畳み自在に形成してある。箱６０の底に挿入する底板１は、段ボール又は厚紙製の四角形の平板である。
【００１０】
底板１上に載せ或は取付ける足下駄１０は、図３に示す四角形の１枚の板１１から形成される。対向する両辺を直線で結び内側に折り曲げる平行な４本の折曲線（鎖線）１２を引く。四角形の板の中央片１１ａには、４つの切欠孔１３と、板１１を折畳み角柱状にした時に切欠凹部１４となる４つの切欠孔１４ａを折曲線１２と平行に間欠的に連設する。
【００１１】
切欠孔１３は、折曲線１２と直交する方向に設け、切欠孔１３の長さは足下駄１０の横設時の内面の幅である。切欠孔１３の両端を通り折曲線１２と平行な折曲線（鎖線）１５で、内側に折り曲げる。
【００１２】
切欠凹部１４は、板１１を角柱状に折り曲げ足下駄１０としたとき、図１に示すように、足下駄１０と補強枠４０を格子状に組む際、補強枠４０の一部を嵌合する凹部である。両端の切欠凹部１４には第１固定部材２０が形成されており、中央の２つの切欠凹部１４には第１固定部材２１が形成されている。これらは図３の点線に示す切欠凹部１４の上端で折り曲げられる。第１固定部材２０，２１の折り曲げ方向は、折曲線１２，１５と直交する方向である。第１固定部材２０，２１の幅は、足下駄１０の内面の幅より僅かに長くし、足下駄１０内に折り曲げた時、足下駄１０の内壁面を強く押圧できるようにしている。第１固定部材２０の先端には、コ状の切欠２２を設ける。第１固定部材２１の先端は、直線状であるが、コ状の切欠２２と同様の切欠を形成してもよい。
【００１３】
図３に示すように、板１１の両端の折返片１１ｂには、前記切欠孔１３から挿入した第２固定部材３０の一部を嵌め込む切欠１６と、板１１を折畳み角柱状にした足下駄１０の切欠凹部１４の１部となる切欠孔１４ａを形成する。これらの切欠孔１４ａの両端にも切欠１６と同様の深さの切欠１６ａを設ける。切欠１６と切欠孔１４ａを通り、板１１の対向する両辺を結ぶ位置にスリット１７と平行な折曲線１８とを直線状に引く。
【００１４】
四角形の板１１の折曲線１２，１５，１８を全て内側に折り曲げると、板１１は角柱状となる。そして、図１、図２に示すように、角柱の上面から両側面にかけて切欠凹部１４が形成される。また、板１１の両端の折返片１１ｂは、互いに重なり、横設した足下駄１０内の中央で垂直に重なる。
【００１５】
第１固定部材２０を切欠凹部１４の上端の点線（図３）で折り曲げ、先端のコ状の切欠２２を、足下駄１０内で重なっている折返片１１ｂに嵌め込む。これによって、足下駄１０を角柱状の状態に保持することができる。
【００１６】
前記角柱状に折畳んだ足下駄１０の内部で重なっている板１１の両端の折返片１１ｂの隣接し接触している面を図示しない接着剤により固定すると、足下駄１０が大変強くなる。
【００１７】
もう一つの第１固定部材２１を、切欠凹部１４の上端の点線（図３）で折り曲げ、先端縁で足下駄１０内で重なっている折返片１１ｂを上から押さえる。第１固定部材２１の先端は、直線状なので、板１１の両端の重ねた折返片１１ｂの上端を強く押圧することができる。
【００１８】
図２に示す形状の第２固定部材３０，３１を用意する。これは、１枚の長方形の段ボール（或は板紙）の両側に切欠３２，３３を形成し、２つ折りにして形成したものである。第２固定部材３０は、足下駄１０の切欠凹部１４から挿入し、第３固定部材３１は切欠孔１３から挿入する。切欠凹部１４から挿入した第２固定部材３０の切欠３２と切欠孔１３から挿入した第３固定部材３１の切欠３３は、角柱状に折畳んだ板１１の両端の重なった折返片１１ｂの切欠１６，１６ａと互いに嵌り合う。前記第１固定部材２０により一枚の板１１を折畳んだ角柱状の足下駄１０は、第２、第３の固定部材３０，３１により一層強固に固定保持できる。第２、第３の固定部材３０，３１は、実施例では２枚重ねたものであるが、強度を高めるため３枚以上の複数層とすることができる。
【００１９】
図４に示すように、折畳んだ足下駄１０の切欠凹部１４から挿入した第２固定部材３０の切欠３２と切欠１６から挿入した第３固定部材３１の切欠３３とは、足下駄１０内の重なっている折返片１１ｂ又は切欠１６ａと互いに嵌り合う。足下駄１０の端部側の切欠凹部１４から挿入した第２固定部材３０の上端は、切欠凹部１４内に突出している。足下駄１０の央部の切欠凹部１４から挿入した第２固定部材３０の上端は、切欠凹部１４の底面と平らになっている。切欠孔１３から挿入した第３固定部材３１の上端は、足下駄１０の上端面と平らになっている。
【００２０】
角柱状に折畳まれた足下駄１０の切欠凹部１４に嵌め込み格子状となる補強枠４０は、１枚の四角形の段ボール（或は板紙）を複数ヶ所で内側に折畳んで厚い板状（或は角柱体）に形成する。補強枠４０の両端近傍に切欠凹部１４内に突出した第２固定部材３０の上端が嵌合する切欠穴４１を設ける（図２参照）。
【００２１】
複数本の足下駄１０と、複数本の補強枠４０とを使い格子状に組む時は、切欠凹部１４内の第２の固定部材３０の上端を切欠凹部１４内に突出させておく。この突出した第２固定部材３０の上端に補強枠４０の切欠穴４１を嵌合した上で足下駄１０の切欠凹部１４に補強枠４０を嵌合すると格子状に組んだ足下駄１０と補強枠４０が横滑りしなくなる。
【００２２】
足下駄１０と補強枠４０とが格子状に組まれたものの上に、四角形の上板５０を載せ、接着剤等で固定する。この上板５０は、底板１と同様の１枚の段ボール（或は板紙）で形成する。
【００２３】
尚、図４の右側に示したように、第２固定部材３０の上端部を足下駄１０の切欠凹部１４の上方に突出させ、突出した第２固定部材３０の上端部が貫通する貫通孔４２を補強枠４０に設け、更に、突出した第２固定部材３０の最上端が嵌合する孔５１を上板５０の所定の位置に設けることができる。このような構成とすることにより格子状に組んだ足下駄１０と補強枠４０と上板５０が互いに確りと固定される。
【００２４】
又、第３固定部材３１の上端を足下駄１０の上に突出させ、突出した第３固定部材３１の上端が嵌合する孔５２を上板５０の所定の位置に設けることにより、足下駄１０と補強枠４０と上板５０とをより一層強固に固定できる。
【００２５】
上記構成の紙製パレットは、箱状に組立てた箱６０内に底板１を挿入し、底板１上に所定の間隔で角柱状に組立てた複数の足下駄１０を載せ、足下駄１０の切欠凹部１４に補強枠４０を嵌め込み格子状に組み、更に上板５０を取付けるものである。前述したように、箱６０内ではなく、箱６０の下に取付けてもよく、底板１なしや底板１及び上板５０なしで箱６０内に取付けることもできる。尚、組上げて出荷する紙製パレットの各構成部材は、一般に接着剤等で固定する。
【００２６】
上記紙製パレットは、底板１、第１、第２、第３固定部材２０，２１，３０，３１により角柱状に組んだ足下駄１０、補強枠４０及び上板５０を組み立てずにバラバラの状態で出荷し、足下駄１０や補強枠４０間の空隙をなくすことによる輸送コストの低減を図るものである。足下駄１０と、補強枠４０とを分解状態で製品として出荷したり、足下駄１０と補強枠４０と上板５０のみで製品として出荷することもできる。当然、各構成部材を組立て、１つの紙製パレットとして出荷することもできる。
【００２７】
図５に示すように、底板１上に足下駄１０を取付ける取付け位置２５を印す（なくともよい）。角柱状に組んだ足下駄１０の裏面（必要に応じ上面や切欠凹部１４内にも）に剥離紙付接着剤３６を付着する。補強枠４０の表裏の所定の位置に剥離紙付接着剤３７を付着する。剥離紙付接着剤３６，３７の付着位置は、図示した位置に拘るものではなく必要に応じ任意の位置でよい。このような構成の紙製パレットは、組立時に剥離紙付接着剤３６，３７の剥離紙を剥離しながら組みたてる。
【００２８】
上記構成を有する紙製パレットは、足下駄１０と補強枠４０の任意の位置に剥離紙付接着剤３６，３７が付着しているので、各部材を分解したバラバラの状態で出荷し或は保管することができる。従って、足下駄１０と補強枠４０を格子状に組立てた状態で生ずる空間がなく、移動や保管のコストを低減できる。又、剥離紙付接着剤３６，３７の剥離紙を剥がして組立てるだけなので、誰にでも組立てられる。従って、紙製パレット使用時即ち箱に製品を収納する時に紙製パレットを組立てて使用することになり、紙製パレットの製造から実使用時に至るトータルコストを低減できる。
【００２９】
図６の要部拡大分解斜視図、図７の要部拡大縦断面図は、上板５０に代えて外周を折返して上板の縁５５を立設した上板５６を用いた例である。上板の下に格子状に組んだ足下駄１０と補強枠４０を取付ける。格子状に組んだ足下駄１０と補強枠４０の下に枠体で形成した下板７０を取付ける。この下板７０は、「日」型の２つの四角形の枠体７１を並列して「田」型枠体としているが、一体で形成した「田」型枠体や「ロ」型枠体等その他の形状であっても良い。
【００３０】
又、図８に示すように、複数の棒体７２を間隔を隔てて並列した下板７３であっても良い。図７に示したように、上板５６と下板７０，７３の間に、先端に回転体８１を有するフォークリフトのフォーク８０を挿入した時、回転体８１が下板７０，７３を損傷しないように空間が設けて有れば良い。更に、図では、上板５６より下板７０，７３が一回り大きく形成してあるが、逆に上板５６を下板７０，７３より大きくしても良い。尚、上板５６を前記実施例の上板５０とすると共に下板７０，７３を上板５０と同じ大きさとしても良い。
【００３１】
上記構成の紙製パレットを直列状に多段に積重ねたとき、上板５６の縁５５上に下板７０，７３が乗るから、多段に積重ねた紙製パレットが水平であり、垂直に高く積重ねることができ、安定している上に、積重ねた状態での移動が容易である。又、下板７０，７３が枠体７１や棒体７２で形成され、内部に空間が設けてあるから、紙製パレットの上板５６と下板７０，７３の間にフォークリフトの先端に回転体８１を有するフォーク８０を挿入しても、下板７０，７３を損傷しない。
【００３２】
【発明の効果】
本願発明に係る紙製パレットの足下駄は、１枚の板紙或は段ボールからなっており、複数の位置で折曲線から一定方向（内側）に折り曲げて両端の折返片を内部中央で垂直に重ねると角柱状になる。この角柱状の足下駄を横設した時の上面に切欠凹部が設けてあり、切欠凹部の上端には第１固定部材が内側に折り曲げ可能に突設してあり、第１固定部材の先端には凹型切欠が設けてある。この１枚の板紙或は段ボールを複数ヶ所の折曲線から内側に折り曲げて両端の折返し片を内部の中央で重ねる。更に、切欠凹部に突設した第１固定部材を内側に折り曲げ、重なっている折返片の上端を第１固定部材の先端の凹型切欠に嵌め込むと、接着剤などの固定手段なしで角柱状に固定し保持できる。
【００３３】
補強枠と格子状に組んだ足下駄の下面に、足下駄間を連結する枠体或は間隔を隔てて配置した棒体からなる下板を設ける構成とすれば、下板には央部に空間ができ、紙製パレットの上板と下板の間に先端に車輪を有するフォークリフトのフォークを挿入しても、車輪が下板に当たらないから、下板が損傷されない。
【００３４】
上記足下駄の切欠凹部に補強枠を嵌め込むだけで格子状のパレットとなり、箱に挿入する紙製パレット付箱が得られる。この足下駄と補強枠を組み立てずに夫々を並列状に並べて保管或は輸送すると、格子状に組んだ時の空間がなく、保管輸送コストが低減できる。
【００３５】
足下駄の切欠凹部から第２固定部材を、足下駄の切欠孔から第３固定部材を夫々挿入し、内部中央の重ねた折返片を先端の凹型切欠に嵌め込むと、角柱状の足下駄が更に確実且つ強固に固定保持できる。
【００３６】
足下駄の切欠凹部から挿入した第２固定部材の上端が切欠凹部内に突出しており、この第２固定部材の上端を補強枠の裏面の穴に嵌合すると、格子状に組んだ足下駄と補強枠が横ズレしない。
【００３７】
足下駄と補強枠の表裏の所望の位置に剥離紙付接着剤を付着させると、足下駄と補強枠を格子状に組まずにバラバラのまま出荷しても、組立時に剥離紙付接着剤の剥離紙を剥がして組立てた格子状の足下駄と補強枠が確実に接着できる。更に、上板や底板も確実に接着できる。
夫々の紙製パレット付箱は、夫々の紙製パレットの特徴効果を備えている。
【図面の簡単な説明】
【図１】本発明に係る紙製パレット付箱の分解斜視図である。
【図２】本発明に係る紙製パレットの要部拡大分解斜視図である。
【図３】本発明に係る紙製パレットの足下駄の展開図である。
【図４】本発明に係る紙製パレットの組立て状態を示す要部拡大縦断面図である。
【図５】本発明に係る紙製パレットの分解斜視図である。
【図６】本発明に係る紙製パレットの要部拡大分解斜視図である。
【図７】図６の拡大縦断面図である。
【図８】本発明に係る紙製パレットの要部拡大分解斜視図である。
【符号の説明】
１　　　　　底板
１０　　　　　足下駄
１１　　　　　板
１１ａ　　　　中央片
１１ｂ　　　　折返片
１２，１５　　　　　折曲線
１３　　　　　切欠孔
１４　　　　　切欠凹部
１４ａ　　　　切欠孔
１６，１６ａ　　　　切欠
１７　　　　　スリット
１８　　　　　折曲線
２０，２１　　　　　第１固定部材
２２　　　　　切欠
２５　　　　　取付け位置
３０　　　　　第２固定部材
３１　　　　　第３固定部材
３２，３３　　　　　切欠
３６，３７　　　　　剥離紙付接着剤
４０　　　　　補強枠
４１　　　　　切欠穴
４２　　　　　貫通孔
５０，５６　　　　　上板
５１，５２　　　　　孔
５５　　　　　上板の縁
６０　　　　　箱
７０，７３　　　　　下板
７１　　　　　枠体
７２　　　　　棒体
【図１】
2004123198.tif 000003
【図２】
2004123198.tif 000004
【図３】
2004123198.tif 000005
【図４】
2004123198.tif 000006
【図５】
2004123198.tif 000007
【図６】
2004123198.tif 000008
【図７】
2004123198.tif 000009
【図８】
2004123198.tif 000010